【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
吸引パターンを遠隔で制御するためのシステムであって、
プログラミングユニットであって、
ユーザが、事前構成された複数の吸引パターンからある吸引パターンを選択すること及びカスタマイズされた吸引パターンを作成することを可能にするよう構成され、前記吸引パターンのそれぞれは、少なくとも２つの異なる吸引の強度レベルを含む、ユーザインターフェースと、
信号を発信するように構成されるトランスミッタと
を有する、プログラミングユニットと、
自動負吸引装置であって、該自動負吸引装置を制御するように構成されるパワーエレクトロニクスを有し、該パワーエレクトロニクスは、
前記プログラミングユニットからの信号を受信するように構成されるレシーバと、
前記自動負吸引装置に信号を送信し、選択された前記吸引パターンに従って可変吸引を生成するように構成される回路とを含む、
自動負吸引装置と
を備える、システム。
【請求項２】
前記自動負吸引装置は、
ポンプと、
吸引管腔を備えるカテーテルと、
前記ポンプと、前記吸引管腔とに接続されている吸引チューブ材と
を備え、
前記吸引チューブ材の部分は、前記ポンプから前記カテーテルの近位端のハブまで延びるように構成されている、
請求項１に記載のシステム。
【請求項３】
前記カテーテルは、マイクロカテーテル、遠位アクセスマイクロカテーテル、ガイドカテーテル、バルーンガイドカテーテル、及びカニューレからなる群から選択される、
請求項２に記載のシステム。
【請求項４】
前記カテーテルは、少なくとも一部分が可撓性を有する、
請求項２又は３に記載のシステム。
【請求項５】
前記事前構成された複数の吸引パターンは、クレッシェンド吸引パターン、ディミヌエンド吸引パターン、又は前記クレッシェンド吸引パターン及び前記ディミヌエンド吸引パターンの組合せを含む、
請求項１から４のいずれかに記載のシステム。
【請求項６】
前記プログラミングユニットは、タブレットコンピュータを含む、
請求項１から５のいずれかに記載のシステム。
【請求項７】
前記自動負吸引装置は、ピストン吸引ポンプを備える、
請求項１から６のいずれかに記載のシステム。
【請求項８】
前記パワーエレクトロニクスは、より高い電圧電力をより低い電圧電力に変換するように構成される、
請求項１から７のいずれかに記載のシステム。
【請求項９】
前記事前構成された複数の吸引パターンのうち少なくとも１つは、第１の強度レベル、第２の強度レベル、及び第３の強度レベルを有する、３つの異なる吸引の強度レベルを含む、
請求項１から８のいずれかに記載のシステム。
【請求項１０】
前記第１の強度レベルが−１００ｍｍＨｇから−３５０ｍｍＨｇの範囲内であり、前記第２の強度レベルが−３５１ｍｍＨｇから−５５０ｍｍＨｇの範囲内であり、前記第３の強度レベルが、−５５１ｍｍＨｇから−７６９ｍｍＨｇの範囲内である、
請求項９に記載のシステム。
【請求項１１】
前記第２の強度レベルは前記第１の強度レベルよりも大きく、前記第３の強度レベルは前記第２の強度レベルよりも大きい、
請求項９に記載のシステム。
【請求項１２】
前記事前構成された複数の吸引パターンのうち少なくとも１つは、
第１の持続時間の前記第１の強度レベル、
第２の持続時間の前記第２の強度レベル、及び
第３の持続時間の前記第３の強度レベル
を、この順序で繰り返す周期パターンを含み、
前記第１の持続時間、前記第２の持続時間及び前記第３の持続時間は、それぞれ１秒から３０秒である、
請求項９から１１のいずれかに記載のシステム。
【請求項１３】
前記事前構成された複数の吸引パターンのうち少なくとも１つは、
第１の持続時間の前記第１の強度レベル、
第２の持続時間の前記第２の強度レベル、及び
第３の持続時間の前記第３の強度レベル
を、この順序で繰り返す周期パターンを含み、
前記第２の強度レベルは前記第１の強度レベルよりも大きく、前記第３の強度レベルは前記第２の強度レベルよりも大きい、
請求項９に記載のシステム。
【請求項１４】
前記第１の持続時間、前記第２の持続時間、及び前記第３の持続時間は同一である、
請求項９から１３のいずれかに記載のシステム。
【請求項１５】
前記第１の持続時間、前記第２の持続時間、及び前記第３の持続時間のうち少なくとも１つは他と異なっている、
請求項９から１３のいずれかに記載のシステム。
【請求項１６】
吸引パターンを遠隔で制御するためのシステムであって、
タブレットコンピュータを含むプログラミングユニットであって、
ユーザが、事前構成された複数の吸引パターンからある吸引パターンを選択すること及びカスタマイズされた吸引パターンを作成することを可能にするように構成され、前記吸引パターンのそれぞれは、少なくとも２つの異なる吸引の強度レベルを含み、前記事前構成された複数の吸引パターンは、クレッシェンド吸引パターン、ディミヌエンド吸引パターン、又は前記クレッシェンド吸引パターン及び前記ディミヌエンド吸引パターンの組合せを含む、ユーザインターフェースと、
信号を発信するように構成されるトランスミッタと
を有する、プログラミングユニットと、
自動負吸引装置であって、該自動負吸引装置を制御するように構成されるパワーエレクトロニクスを有し、該パワーエレクトロニクスは、
前記プログラミングユニットからの信号を受信するように構成されるレシーバと、
前記自動負吸引装置に信号を送信し、選択された前記吸引パターンに従って可変吸引を生成するように構成される回路とを含む、
自動負吸引装置と
を備える、システム。
【請求項１７】
前記パワーエレクトロニクスは、より高い電圧電力をより低い電圧電力に変換するように構成される、
請求項１６に記載のシステム。
【請求項１８】
前記自動負吸引装置は、ピストン吸引ポンプを備え、前記パワーエレクトロニクスは、より高い電圧電力をより低い電圧電力に変換するように構成され、前記事前構成された複数の吸引パターンの少なくとも１つは、３つの異なる吸引の強度レベルを含む、
請求項１６又は１７に記載のシステム。
【請求項１９】
前記自動負吸引装置は、ピストン吸引ポンプを含む、
請求項１６又は１７に記載のシステム。
【請求項２０】
前記事前構成された複数の吸引パターンのうち少なくとも１つは、３つの異なる吸引の強度レベルを含む、
請求項１６から１９のいずれかに記載のシステム。
【請求項２１】
前記３つの異なる吸引の強度レベルが、−１００ｍｍＨｇから−３５０ｍｍＨｇの範囲内である第１の強度レベルと、前記第１の強度レベルよりも大きく、−３５１ｍｍＨｇから−５５０ｍｍＨｇの範囲内である第２の強度レベルと、前記第２の強度レベルよりも大きく、−５５１ｍｍＨｇから−７６９ｍｍＨｇの範囲内である第３の強度レベルとを含む、
請求項２０に記載のシステム。
【請求項２２】
吸引パターンを遠隔で制御するためのシステムであって、
タブレットコンピュータを含むプログラミングユニットであって、
ユーザが、事前構成された複数の吸引パターンからある吸引パターンを選択すること及びカスタマイズされた吸引パターンを作成することを可能にするように構成され、前記吸引パターンのそれぞれは、少なくとも２つの異なる吸引の強度レベルを含み、前記事前構成された複数の吸引パターンのうち少なくとも１つは、３つの異なる吸引の強度レベルを含む、ユーザインターフェースと、
信号を発信するように構成され、ブルートゥース（登録商標）デバイスを含むトランスミッタと
を有する、プログラミングユニットと、
自動負吸引装置であって、ピストン吸引ポンプであるポンプと、該自動負吸引装置を制御するように構成されるパワーエレクトロニクスとを有し、該パワーエレクトロニクスは、
前記プログラミングユニットからの信号を受信するように構成されるレシーバと、
前記自動負吸引装置に信号を送信し、選択された前記吸引パターンに従って可変吸引を作成するように構成される回路とを含む、
自動負吸引装置と
を備える、システム。
【請求項２３】
前記３つの異なる吸引の強度レベルを含む前記吸引パターンは、クレッシェンド吸引パターンであり、前記３つの異なる吸引の強度レベルは、−１００ｍｍＨｇから−３５０ｍｍＨｇの範囲内である第１の強度レベルと、−３５１ｍｍＨｇから−５５０ｍｍＨｇの範囲内である第２の強度レベルと、−５５１ｍｍＨｇから−７６９ｍｍＨｇの範囲内である第３の強度レベルとを含む、
請求項２２に記載のシステム。
【請求項２４】
前記パワーエレクトロニクスは、より高い電圧電力をより低い電圧電力に変換するように構成される、
請求項２２又は２３に記載のシステム。
【請求項２５】
前記自動負吸引装置は、回転ベーンポンプ、リニアポンプ、ダイアフラムポンプ、及びピストンポンプからなるグループから選択されるポンプを含む、
請求項１又は１６又は２２に記載のシステム。